(57)【要約】【課題】内装容器が外装容器から外れにくく，また，そのための係止形状が収納容器の他の機能を阻害することのない収納容器を提供すること。【解決手段】外装容器と，その内部に装着される内装容器３とを有し，外装容器および内装容器３がいずれも，多辺形状の底面部３１と側壁部（３３，３４）とを有する形状の収納容器であって，外装容器の材料樹脂と比較して内装容器３の材料樹脂の方が高柔軟性かつ高断熱性であるものとする。さらに，内装容器３の側壁部３３の外面側に係止部３６が設けられるとともに外装容器の側壁部の内面側に被係止部が設けられており，係止部３６および被係止部は，外装容器に内装容器３を装着した状態では引っ掛かった状態となることで，外装容器から内装容器３がひとりでに外れることを防止するとともに，その形成されている側壁部３３における，全幅に対して一方の端部から３０％以内の位置に設けられている。【選択図】図６
2019059488.tif 000002
【特許請求の範囲】
【請求項１】
樹脂材料製の外装容器と，前記外装容器の内部に装着される樹脂材料製の内装容器とを有し，前記外装容器および前記内装容器がいずれも，多辺形状の底面部とその各辺に対して同一面側に設けられた側壁部とを有する形状のものであり，前記外装容器の材料樹脂と比較して前記内装容器の材料樹脂の方が高柔軟性かつ高断熱性である収納容器であって，
前記内装容器の側壁部の外面側に係止部が設けられるとともに前記外装容器の側壁部の内面側に被係止部が設けられており，
前記係止部および前記被係止部は，
前記外装容器に前記内装容器を装着した状態では引っ掛かった状態となることで，前記外装容器から前記内装容器がひとりでに外れることを防止するものであり，
その形成されている側壁部における，全幅に対して一方の端部から３０％以内の位置に設けられていることを特徴とする収納容器。
【請求項２】
請求項１に記載の収納容器であって，
前記内装容器の側壁部における前記係止部が形成されている部位が，他の箇所より変形しやすい容易変形箇所とされていることを特徴とする収納容器。
【請求項３】
請求項２に記載の収納容器であって，
前記容易変形箇所は，前記内装容器の側壁部の内面が抉られた薄肉箇所であり，
少なくとも前記薄肉箇所の範囲内を含む位置における外面に前記係止部が形成されていることを特徴とする収納容器。
【請求項４】
請求項２または請求項３に記載の収納容器であって，
少なくとも前記容易変形箇所の範囲内を含む位置における外面に複数個の前記係止部が形成されており，
前記外装容器の側壁部の内面側における，前記外装容器に前記内装容器を装着した状態で複数個の前記係止部に対応する位置に複数個の前記被係止部が形成されていることを特徴とする収納容器。
【請求項５】
請求項１から請求項４までのいずれか１つに記載の収納容器であって，前記内装容器に，  前記底面部および各前記側壁部により区画された収納空間の一部を仕切る，前記側壁部の内面から連続して設けられた仕切り形状部と，
前記側壁部の外面における，前記仕切り形状部が形成されている位置の裏面に相当する範囲内に設けられた，前記外装容器に前記内装容器を装着した状態では前記外装容器の側壁部の内面に接触する位置決め凸部とが形成されていることを特徴とする収納容器。
【請求項６】
請求項５に記載の収納容器であって，
前記係止部は，前記内装容器の側壁部の外面における，裏面に前記仕切り形状部が形成されている範囲よりも前記側壁部の幅方向に中央寄りの位置に設けられており，
前記係止部は，前記内装容器の側壁部の上下方向寸法中の上半分の範囲内の位置に設けられていることを特徴とする収納容器。
【発明の詳細な説明】
【技術分野】
【０００１】
本発明は，収納物を収納する収納容器であって，外形を維持する外装容器と，その内側に装着されて外界からの断熱を担当する内装容器との二重構造をとるものに関する。
【背景技術】
【０００２】
従来から，比較的剛性の高い外装容器の内側に，ある程度の柔軟性を持ちつつ断熱性が高い内装容器を装着して，保冷もしくは保温機能を持たせるようにした収納容器が知られている。特許文献１に記載のものもその一例である。この種の二重構造の収納容器では通常，内装容器が外装容器に対して脱着可能になっている。特許文献１の保温コンテナもそうである。
【０００３】
同文献の保温コンテナでは，その図１中に「１０」で示されるものが外装体（外装容器）であり，「２０」で示されるものが内装体（内装容器）である。「３０」は内装体の蓋である。このうちの「外装体１０」を見ると，その両短辺における側壁部分に取っ手用の「貫通口１２」が設けられている。これに合わせて「内装体２０」の側壁部には外向きに「凸部２２」が設けられている。そして同文献の図３を見ると，「内装体２０」を「外装体１０」の内側に装着した状態の断面図が描かれている。この断面図の状態では，「凸部２２」が「貫通口１２」に入り込んでいる。これにより，「内装体２０」が「外装体１０」からひとりでに外れてしまうことがないようにされている。
【先行技術文献】
【特許文献】
【０００４】
【特許文献１】特開平１０−１７０３１号公報
【発明の概要】
【発明が解決しようとする課題】
【０００５】
しかしながら前記した従来の収納容器には，次のような問題点があった。第１に，「内装体２０」が「外装体１０」から，意外と外れやすいのである。その原因は，「凸部２２」や「貫通口１２」の位置にある。すなわち，特許文献１の図１から明らかなように，「凸部２２」や「貫通口１２」は，それらが形成されている側壁部分における幅方向の中央部にある。これは，側壁部分に何らかの外力が掛かった場合に最も大きく変形する位置である。このため，「凸部２２」と「貫通口１２」との引っ掛かりが意外と容易に外れてしまうのである。
【０００６】
また「貫通口１２」には，保温コンテナを人が持つ場合の取っ手としての意味もある。しかしそのために「貫通口１２」に指を差し込むと，そこには「凸部２２」が存在している。つまり，「凸部２２」は取っ手としての機能を邪魔している。また，多くの場合「内装体２０」は発泡材等の柔軟度の高い素材で形成されている。このため，「貫通口１２」に差し込まれた指との衝突により「凸部２２」が破損・変形してしまうこともある。この場合，「凸部２２」と「貫通口１２」との引っ掛かり機能が低下して，「内装体２０」が「外装体１０」からさらに外れやすくなってしまう。
【０００７】
本発明は，前記した従来の技術が有する問題点を解決するためになされたものである。すなわちその課題とするところは，内装容器が外装容器から外れにくく，また，そのための係止形状が収納容器の他の機能を阻害することのない収納容器を提供することにある。
【課題を解決するための手段】
【０００８】
本発明の一態様における収納容器は，樹脂材料製の外装容器と，外装容器の内部に装着される樹脂材料製の内装容器とからなる収納容器であり，外装容器および内装容器がいずれも，多辺形状の底面部とその各辺に対して同一面側に設けられた側壁部とを有する形状のものであり，外装容器の材料樹脂と比較して内装容器の材料樹脂の方が高柔軟性かつ高断熱性であって，内装容器の側壁部の外面側に係止部が設けられるとともに外装容器の側壁部の内面側に被係止部が設けられており，係止部および被係止部は，外装容器に内装容器を装着した状態では引っ掛かった状態となることで，外装容器から内装容器がひとりでに外れることを防止するものであり，その形成されている側壁部における，全幅に対して一方の端部から３０％以内の位置に設けられているものである。
【０００９】
上記態様における収納容器では，外装容器に内装容器を装着した装着状態では係止部と被係止部とが引っ掛かった状態となっている。これにより，外装容器から内装容器がひとりでには外れないようになっている。そして，係止部や被係止部が形成されている位置は，その形成されている側壁部における幅方向の中央部から外れた端部寄りの位置である。このため，内装容器の側壁部に意図しない外力が加わっても，係止部や被係止部が形成されている位置はさほど大きくは変形しない。このため，係止部と被係止部との引っ掛かりが解除されてしまう事態にはなかなかならない。また，通常は側壁部における幅方向の中央部に形成されることの多い取っ手孔等の機能を係止部が邪魔することもない。なお，外装容器および内装容器の底面部についていう「多辺形」は，多くの場合に長方形であるがこれに限らず任意の多角形でよい。また，コーナーが丸められていたりしても多辺形であることを妨げないものとする。
【００１０】
上記態様における収納容器ではさらに，内装容器の側壁部における係止部が形成されている部位が，他の箇所より変形しやすい容易変形箇所とされていることが望ましい。これにより内装容器の側壁部における係止部が形成されている部位が，内装容器の装着または取り外しのために意図的に当該側壁部を変形させる場合には変形しやすいこととなる。このため，装着または取り外しの動作がやりやすい。
【００１１】
容易変形箇所が設けられている上記態様の収納容器ではさらに，容易変形箇所は，内装容器の側壁部の内面が抉られた薄肉箇所であり，少なくとも薄肉箇所の範囲内を含む位置における外面に係止部が形成されていることが望ましい。このように薄肉箇所内に係止部が形成されていることにより，装着または取り外しの動作時に当該側壁部を変形させやすく，動作がやりやすい。
【００１２】
容易変形箇所が設けられている上記のいずれかの態様の収納容器ではさらに，少なくとも容易変形箇所の範囲内を含む位置における外面に複数個の係止部が形成されており，外装容器の側壁部の内面側における，外装容器に内装容器を装着した状態で複数個の係止部に対応する位置に複数個の被係止部が形成されていることが望ましい。このように１箇所の容易変形箇所の範囲内に複数個の被係止部を設けることで，容易変形箇所が設けられていても，外装容器から内装容器がひとりでに外れることは起こりにくくなっている。
【００１３】
上記のいずれかの態様の収納容器ではまた，内装容器に，底面部および各側壁部により区画された収納空間の一部を仕切る，側壁部の内面から連続して設けられた仕切り形状部と，側壁部の外面における，仕切り形状部が形成されている位置の裏面に相当する範囲内に設けられた，外装容器に内装容器を装着した状態では外装容器の側壁部の内面に接触する位置決め凸部とが形成されていることが望ましい。このように，仕切り形状部を利用して位置決め凸部の位置を補強することで，位置決め凸部による内装容器の外装容器に対する位置決め効果がより確実となる。
【００１４】
仕切り形状部および位置決め凸部が設けられている上記態様の収納容器ではさらに，係止部は，内装容器の側壁部の外面における，裏面に仕切り形状部が形成されている範囲よりも側壁部の幅方向に中央寄りの位置に設けられていることが望ましい。これにより，仕切り形状部が内装容器の側壁部の，装着または取り外しの動作時の意図的な変形を邪魔することがない。上記のいずれかの態様の収納容器ではまた，係止部は，内装容器の側壁部の上下方向寸法中の上半分の範囲内の位置に設けられていることが望ましい。これにより，装着または取り外しの動作時の意図的な変形が少なくて済む。
【発明の効果】
【００１５】
本構成によれば，内装容器が外装容器から外れにくく，また，そのための係止形状が収納容器の他の機能を阻害することのない収納容器が提供されている。
【図面の簡単な説明】
【００１６】
【図１】本形態の収納容器をパーツごとに分離して示す斜視図である。
【図２】本形態の収納容器の内部に装着される保冷剤を示す斜視図である。
【図３】本形態の収納容器を逆さに伏せた状態でパーツごとに分離して示す斜視図である。
【図４】外装容器に内装容器を装着した状態を示す斜視図である。
【図５】内装容器の係止部と外装容器の孔との引っ掛かり状況を示す断面図である。
【図６】内装容器の平面図である。
【図７】外装容器に内装容器を装着した状態を示す平面図である。
【図８】外装容器の内面に対する内装容器の位置決め凸部による位置決め状況を示す断面図である。
【図９】本形態の収納容器を３段積みにした状態を示す斜視図である。
【図１０】第１の変形例に係る内装容器を示す斜視図である。
【図１１】第１の変形例に係る内装容器を示す平面図である。
【図１２】第２の変形例に係る内装容器を示す斜視図である。
【図１３】第２の変形例に係る内装容器を示す平面図である。
【発明を実施するための形態】
【００１７】
以下，本発明を具体化した実施の形態について，添付図面を参照しつつ詳細に説明する。本形態は，図１に示される収納容器１として本発明を具体化したものである。図１の収納容器１は，外装容器２と，内装容器３と，蓋４とにより構成されている。外装容器２は，収納容器１における外形をなし必要な強度を有するパーツである。内装容器３は，収納容器１において実際に収納物を収納するパーツである。内装容器３の主な機能は，断熱性や衝撃緩和性である。蓋４は，内装容器３の開口部を閉鎖するパーツである。
【００１８】
外装容器２，内装容器３，蓋４の素材はいずれも，合成樹脂である。ただし，外装容器２と内装容器３とでは材料樹脂の種類が異なる。外装容器２の材料樹脂と内装容器３の材料樹脂とを比較すると，後者の方がより柔軟性が高く断熱性も高いものである。樹脂の種類そのものには特段の限定はないが，外装容器２を非発泡樹脂（例えばポリプロピレン等）で，内装容器３を発泡樹脂（例えば発泡ポリプロピレン，発泡ポリエチレン，発泡スチロール等）で形成することにより上記を達成することができる。蓋４の素材は内装容器３と同じものでよい。
【００１９】
外装容器２および内装容器３はいずれも，全体の概略形状としては，上方が開口した箱形の形状である。すなわち外装容器２は，長方形状の底面部２１と，その両長辺に対して上方側に設けられた長辺側壁部２３と，両短辺に対して上方側に設けられた短辺側壁部２４とを有している。底面部２１には多数の孔２５が形成されている。各長辺側壁部２３にも多数の孔２６が形成されている。各短辺側壁部２４には，取っ手孔２７が形成されている。取っ手孔２７は，短辺側壁部２４の幅方向（短辺側壁部２４を上方から見たときのその長手方向）の中央に位置している。
【００２０】
内装容器３も，長方形状の底面部３１と，その両長辺に対して上方側に設けられた長辺側壁部３３と，両短辺に対して上方側に設けられた短辺側壁部３４とを有している。内装容器３の内部には，仕切り形状部３５が設けられている。仕切り形状部３５は，長辺側壁部３３および短辺側壁部３４の内面から連続して設けられている。仕切り形状部３５は，内装容器３の内部の収納空間の一部を仕切って，図２に示す保冷剤５を装着する箇所とするものである。内装容器３の長辺側壁部３３の外面には，凸状の係止部３６および位置決め凸部３７が設けられている。係止部３６は，図１中では手前側の長辺側壁部３３のものしか見えていないが，背面側の長辺側壁部３３の外面にも同様に形成されている。位置決め凸部３７は，内装容器３の短辺側壁部３４の外面にも設けられている。なお内装容器３には，外装容器２に設けられているような孔は設けられていない。
【００２１】
外装容器２，内装容器３，蓋４をそれぞれ逆さに伏せた状態での斜視図を図３に示す。なお蓋４は，底面部２１および底面部３１の全体形状とほほ同じ長方形状の板状の部材である。
【００２２】
図４に，外装容器２に内装容器３を装着した状態での斜視図を示す。図４に示される状態の収納容器１では，蓋４は装着していない。一方で図４の収納容器１では，図２に示した保冷剤５が装着されている。図２中の保冷剤５は，内装容器３における短辺側壁部３４と仕切り形状部３５との間の空間に保持されている。
【００２３】
さらに図４では，内装容器３の係止部３６が，外装容器２の孔２６を通して外部に張り出している。つまり，凸状の係止部３６が，貫通孔である孔２６に内面側から入り込んで引っ掛かった状態となっている。つまり孔２６は，係止部３６が引っ掛かる被係止部として機能している。この，係止部３６と孔２６との引っ掛かり状況を，図５の断面図に示す。これにより図４の収納容器１では，内装容器３が外装容器２からひとりでには外れないようになっている。なお，図４等では孔２６は多数設けられているが，そのうち係止部３６が引っ掛かるのは，外装容器２と内装容器３とを装着状態にしたときに係止部３６と対向する位置にあるものである。ただし，内装容器３は前述のように柔軟性のものであるから，外側から係止部３６を意図的に押し込んで孔２６との引っ掛かりを解除すれば，内装容器３を外装容器２から取り外すことができる。
【００２４】
内装容器３について，図６の平面図によりさらに説明する。図６中では，内装容器３の長辺方向の全長をＬ１で示している。このＬ１は，長辺側壁部３３の全幅である。そして図６中のＬ２は，長辺側壁部３３の一方の端部（図６中では右端）から，全幅Ｌ１の３０％に相当する範囲を示している。内装容器３の係止部３６は，この領域Ｌ２の範囲内に設けられている。つまり係止部３６は，長辺側壁部３３の幅方向の中央を外した位置に形成されている。このことにより本形態の収納容器１では，従来のものよりさらに，内装容器３が外装容器２から外れにくくなっている。長辺側壁部３３に何らかの応力が掛かった場合でも，それによって大きく変形するのは長辺側壁部３３の幅方向の中央部分であるところ，係止部３６はそこから外れた位置にあるからである。このため，長辺側壁部３３に何らかの意図しない外力が掛かっても，係止部３６のある箇所の変形は小さく，係止部３６と孔２６との引っ掛かりが解除されてしまうまでにはなかなか至らないのである。
【００２５】
また，図１，図３，図６に示されるように，内装容器３の長辺側壁部３３の外面における２つの係止部３６の間の位置には，縦方向の溝３８が形成されている。このため長辺側壁部３３は，溝３８およびその周囲の箇所ではそれ以外の箇所と比較して，より変形しやすくなっている。つまり，長辺側壁部３３の中でも係止部３６付近の位置は，他の位置より変形しやすい容易変形箇所となっているのである。この容易変形箇所は，溝３８そのものを含み，さらにその隣接領域（溝３８の外縁から水平方向に１０ｍｍ以内の領域）をも含む。このため，外装容器２に内装容器３を装着する動作が，溝３８が形成されていることにより楽にできるようになっている。外装容器２から内装容器３を意図的に取り外す場合も同様である。なお，装着状態において長辺側壁部３３に意図しない外力が掛かっても，特に係止部３６付近の位置を標的とする外力でない限り，溝３８のせいで内装容器３が外れやすいということはない。
【００２６】
また，図６から明らかなように係止部３６は，長辺側壁部３３の内面に仕切り形状部３５が連続している範囲よりも，長辺側壁部３３の幅方向（矢印Ｌ１の方向）に中央寄りの位置の外面上に配置されている。つまり，内装容器３を上方から見たとき，係止部３６が設けられている位置の裏面の位置には仕切り形状部３５が形成されていないということである。このため，内装容器３の取り付けならびに取り外しの際に，仕切り形状部３５が長辺側壁部３３の変形の妨げとなることがない。この点でも本形態の収納容器１では，内装容器３の取り付けならびに取り外しの動作が楽にできるようになっているといえる。
【００２７】
また，図１から分かるように係止部３６は，長辺側壁部３３の上下方向寸法中の上半分の範囲内の位置に設けられている。このことによっても，内装容器３の取り付けならびに取り外しの動作が楽にできるようになっている。なぜなら，取り付けの際には，係止部３６を内向きに押し込むように長辺側壁部３３を変形させる必要があるが，その変形をさせている時間が短時間で済むからである。また，取り外しの際にも，同様に係止部３６を内向きに押し込む変形をさせる必要があるが，早期に係止部３６が外装容器２から脱出して変形が解消されるからである。
【００２８】
また，これも図１，図３，図６に示されるように位置決め凸部３７は，長辺側壁部３３ないし短辺側壁部３４に仕切り形状部３５が連続している範囲内の位置に配置されている。つまり，内装容器３を上方から見たとき，位置決め凸部３７が設けられている位置の裏面の位置には仕切り形状部３５が形成されているということである。このことにより次のような効果がある。
【００２９】
そもそも位置決め凸部３７は，図４の装着状態での内装容器３の水平面内位置を安定させるものである。すなわち，装着状態での収納容器１を上方から見ると，図７のようになる。図７では，外装容器２の内面と内装容器３の外面とがしっかりと密着しているのは，位置決め凸部３７の箇所だけである。この状況を図８の断面図に示す。図７および図８の状態での位置決め凸部３７は，外装容器２の内面に押されてやや圧縮された状態になっている。これにより，外装容器２に対する内装容器３の水平面内位置が安定している。特に，外装容器２および内装容器３の寸法の公差内の個体差により嵌め合わせが緩い組み合わせの収納容器１であったとしても，位置決め凸部３７の効果により内装容器３の位置が安定している。
【００３０】
ここで，前述の位置決め凸部３７と仕切り形状部３５との位置関係により，装着状態での位置決め凸部３７の外装容器２の内面による後退，すなわち内向きの移動が抑制されている。これにより，位置決め凸部３７の位置決め効果がより確実になっているのである。なお図７に示される状態でも図４と同様に蓋４は装着されていない。また，図７の状態では保冷剤５は装着していない。一方図８では，内装容器３に蓋４および保冷剤５を装着した状態を示している。図８から分かるように，蓋４の存在も，位置決め凸部３７の後退を抑制し位置決め効果をより確実にすることに貢献している。
【００３１】
また，これも図１，図３，図６に示されるように，長辺側壁部３３および短辺側壁部３４の外面における位置決め凸部３７に隣接する範囲は，凹部３９となっている。凹部３９は，上端から下端まで連続して形成されている。この凹部３９が形成されていることで，位置決め凸部３７を圧縮しつつ内装容器３を外装容器２に挿入する動作がやりやすくなっている。位置決め凸部３７の圧縮による変形の影響が，長辺側壁部３３および短辺側壁部３４のうち凹部３９より外側にはあまり及ばないからである。
【００３２】
本形態の収納容器１では，多段積みが可能である。図９に，収納容器１を３段積みにした状態を示す。図９では，３段積みになっている外装容器２のいずれにおいても，孔２６から係止部３６が覗いている。これより，各収納容器１がそれぞれ，外装容器２に内装容器３を装着した状態であることが分かる。また，最上段のものについてしか図上で明白ではないが，各収納容器１においてそれぞれ，内装容器３に蓋４が装着されている。保冷剤５については，装着されていてもいなくても，図９の外観図に違いは現れない。
【００３３】
続いて，本形態の収納容器１における内装容器３の変形例について説明する。ここで説明するのは，第１の変形例（図１０，図１１）および第２の変形例（図１２，図１３）である。順に説明する。
【００３４】
まず第１の変形例に係る内装容器６の斜視図を図１０に，平面図を図１１に，それぞれ示す。図１０および図１１の内装容器６における，前述の内装容器３に対する相違点は，係止部３６および溝３８の配置である。すなわち，前述の内装容器３では各長辺側壁部３３における幅方向の一方の端部寄りの範囲内に２箇所の係止部３６が形成されているところ，本変形例に係る内装容器６では，各長辺側壁部３３における幅方向の両方の端部寄りの範囲内に１箇所ずつの係止部３６が形成されている。係止部３６の総数は内装容器３でも内装容器６でも同じである。
【００３５】
一方，溝３８については，前述の内装容器３では隣り合う２つの係止部３６の間に１本の溝３８が形成されている。これに対し本変形例の内装容器６では，各係止部３６の両隣に１本ずつの溝３８が形成されている。つまり溝３８の総本数でいえば，内装容器３が２本であるのに対し内装容器６では，８本となっている。この場合の容易変形箇所は，少なくとも，２本の溝３８とその間の領域を含む。よって，係止部３６と溝３８との関係が本変形例の内装容器６のようになっていても，前述の内装容器３の場合と同様に，外装容器２と内装容器６との確実な外れ防止や取り付け操作の容易性が得られる。その余の点については，内装容器３と内装容器６とで特段の相違点はない。
【００３６】
次に第２の変形例に係る内装容器７の斜視図を図１２に，平面図を図１３に，それぞれ示す。図１２および図１３の内装容器７における，前述の内装容器３に対する相違点は，溝３８に替えて凹部４０が形成されていることである。溝３８が長辺側壁部３３の外面に形成されているのに対し，凹部４０は内面に形成されている。凹部４０が形成されている範囲内では他の箇所と比較して，長辺側壁部３３が薄肉となっている。この場合の容易変形箇所は，凹部４０が形成されている範囲を少なくとも含む。さらにその隣接領域（凹部４０の外縁から水平方向に１０ｍｍ以内の領域）をも含む。そして本変形例の内装容器７における係止部３６はいずれも，凹部４０が形成されている範囲の裏面に相当する範囲内に位置している。このような構成であっても前述の内装容器３，６の場合と同様に，外装容器２と内装容器７との確実な外れ防止や取り付け操作の容易性が得られる。その余の点については，内装容器３と内装容器７とで特段の相違点はない。
【００３７】
以上詳細に説明したように本実施の形態によれば，外装容器２に対してより高柔軟性かつより高断熱性の内装容器（３，６，７）を装着してなる収納容器１において，外装容器２の孔２６（被係止部）と内装容器（３，６，７）の係止部３６との係止箇所を，長辺側壁部２３，３３における幅方向の中央付近から外して端部寄りの位置に配置している。このため，内装容器（３，６，７）に意図しない外力が加わった場合でも内装容器（３，６，７）の係止箇所の変形量は小さい。このため内装容器３が外装容器２からひとりでに外れてしまうことは起こりにくい。
【００３８】
また，外装容器２の短辺側壁部２４の幅方向中央に位置する取っ手孔２７に対しては，装着状態においても係止部３６が進入していない。このため，取っ手孔２７に指先を差し込んで収納容器１を持ち上げる動作が，係止部３６により邪魔されることがない。また，その動作により係止部３６が傷つけられることもない。
【００３９】
また，内装容器（３，６，７）における係止部３６が形成されている箇所が，溝３８あるいは凹部４０により容易変形箇所とされている。このため，装着動作ならびに取り外し動作は容易にできる。また，内装容器（３，６，７）には係止部３６以外にも位置決め凸部３７が設けられており，内面側の仕切り形状部３５に対して上方から見て表裏関係の位置に配置されている。このため，位置決め凸部３７による内装容器（３，６，７）の位置決め効果が確実である。その一方で係止部３６は仕切り形状部３５よりは中央寄りにあるので，仕切り形状部３５が装着動作ならびに取り外し動作を邪魔することはない。また，係止部３６は長辺側壁部３３の上下方向上寄りの位置にあるので，このことも装着動作ならびに取り外し動作をやりやすくしている。
【００４０】
なお，本実施の形態は単なる例示にすぎず，本発明を何ら限定するものではない。したがって本発明は当然に，その要旨を逸脱しない範囲内で種々の改良，変形が可能である。例えば本形態では，装着状態にて係止部３６と引っ掛かり合うための外装容器２における形状である被係止部を，貫通孔である孔２６としている。しかし被係止部が貫通孔であることは必須ではない。貫通孔である孔２６の代わりにその箇所を，内面側が凹んだ有底穴としてもよい。これでも，装着状態にて係止部３６が有底穴に内面側から進入して引っ掛かり状態となることができるからである。
【００４１】
また，係止部３６と被係止部との関係を逆にしてもよい。すなわち，被係止部を外装容器２の長辺側壁部２３の内面状の凸部とし，係止部３６を内装容器（３，６，７）の長辺側壁部３３の貫通孔もしくは外面側が凹んだ有底穴としてもよい。さらには，係止部３６および被係止部を，長辺側壁部２３，３３に設ける代わりに短辺側壁部２４，３４に設けてもよい。あるいは係止部３６および被係止部を，長辺側壁部２３，３３と短辺側壁部２４，３４との両方に設けてもよい。
【００４２】
また本形態では，図１等から明らかなように長辺側壁部２３に，係止部３６と引っ掛かり合うもの以外にも多数の孔２６と同じ形状が形成されている。むろんこのことも必須ではなく，係止部３６と引っ掛かり合わない孔は形成されていなくてもよい。あるいは形が異なっていてもよい。また，容易変形箇所に関して，溝３８あるいは凹部４０の配置は図示したものに限らない。長辺側壁部３３の内面に溝３８を設けてもよいし外面に凹部４０を設けてもよい。溝３８と凹部４０との両方を設けてもよい。あるいは，内装容器（３，６，７）の材料樹脂が発泡樹脂である場合に，係止部３６近辺だけ他よりも発泡率を上げてそれを容易変形箇所としてもよい。
【００４３】
また，仕切り形状部３５の具体的な配置も任意である。本形態に例示したものは，保冷剤５を両短辺側壁部３４の幅方向中央に寄せて１個ずつ保持するものであったが，これに限られない。両短辺側壁部３４の幅方向端部に寄せて１個ずつ保冷剤５を保持するものでもよいし，両長辺側壁部２３の幅方向中央もしくは端部に寄せて１個ずつ保冷剤５を保持するものでもよい。内装容器（３，６，７）全体としての保冷剤５の保持数も２個に限らない。１個や４個でもよい。また，位置決め凸部３７は，必ずしも装着時に圧縮状態となるものでなくてもよい。また，蓋４は絶対に必要というものではない。例えば図９の段積み状態にて，最上段の収納容器１のみ蓋４を有しておりそれ以外の段の収納容器１は蓋４なし，という構成であってもよい。
【符号の説明】
【００４４】
１          収納容器
２          外装容器
３，６，７  内装容器
２１，３１  底面部
２３，３３  長辺側壁部
２４，３４  短辺側壁部
２６        孔（被係止部）
３５        仕切り形状部
３６        係止部
３７        位置決め凸部
３８        溝（容易変形箇所）
４０        凹部（薄肉箇所）
【図１】
2019059488.tif 000003
【図２】
2019059488.tif 000004
【図３】
2019059488.tif 000005
【図４】
2019059488.tif 000006
【図５】
2019059488.tif 000007
【図６】
2019059488.tif 000008
【図７】
2019059488.tif 000009
【図８】
2019059488.tif 000010
【図９】
2019059488.tif 000011
【図１０】
2019059488.tif 000012
【図１１】
2019059488.tif 000013
【図１２】
2019059488.tif 000014
【図１３】
2019059488.tif 000015